(57)【要約】【課題】運動用アウターウエアとして好適な機能性シアーパンツの提供。【解決手段】機能性に富むインナー本体部１２と、シアー感のあるアウター本体部２２とをゴム編み地部３２を介して連続編成した２本の丸編み地１１を用い、その一方は人体の左半身用として、他方は右半身用として用いるべく、各インナー本体部１２とアウター本体部２２とにあって人体の股部と胴部との相当部位に各一対の股部側開放縁１６，１６又は２４，２４と、胴部側開放縁１７，１７又は２５，２５とを連続形成すべく切り開き、丸編み地１１，１１相互を一方の一対の股部側開放縁１６，１６と胴部側開放縁１７，１７とは他方の一対の股部側開放縁２４，２４と胴部側開放縁２５，２５とに向き合わせて、それぞれの対応部位相互を縫着して胴部４３，４７と、股部４４，４８と脚部４５，４９とを有するインナー用パンツ４２とアウター用パンツ４６とを形成する。【選択図】図６
2005089927.tif 000002
【特許請求の範囲】
【請求項１】
サポート機能及び／又は吸放湿機能が付与されてインナー用パンツとして用いられるインナー本体部と、該インナー本体部との間の摩擦係数を少なくしてシアー感を伴ったアウター用パンツとして用いられるアウター本体部とをゴム編み地部を介在させて円筒状に一体に連続編成してなる２本の丸編み地が用いられ、
これらの丸編み地のうち、一方は人体の左右方向での左半身部位として、他方は右半身部位として用いるべく、それぞれの前記インナー本体部と前記アウター本体部とにあって人体の股部とこれに連続する胴部とに相当する部位に各一対の股部側開放縁と胴部側開放縁とを連続形成すべく切り開く工程と、
前記丸編み地相互を一方の一対の股部側開放縁と胴部側開放縁とは他方の一対の股部側開放縁と胴部側開放縁とにそれぞれ対面するように向き合わせて、それぞれの対応部位相互を縫着して胴部と、股部により分岐された両脚部とを有するインナー用パンツとアウター用パンツとを形成する工程と、
前記ゴム編み地部をウエストゴムとして残して前記インナー用パンツ側を前記アウター用パンツ側の対応部位内に納める工程とを経ることを特徴とする機能性シアーパンツの製造方法。
【請求項２】
前記インナー本体部は、ウーリーナイロンを含む機能糸もしくはスパンデックスを用いたゾッキのフロート編み、プレーン編み、インレイ編み、メッシュ編みのうちのいずれかであり、前記アウター本体部は、ナイロン生糸又はその加工糸、プレーティングされたナイロン生糸のいずれかを用いたプレーン編みである請求項１に記載の機能性シアーパンツの製造方法。
【請求項３】
前記インナー本体部は、針数及び／又は編み組織を変化させて着圧を段階的又は部分的に変化させてなる請求項１又は２に記載の機能性シアーパンツの製造方法。
【請求項４】
請求項１ないし３のいずれかに記載の製造方法により、前記インナー用パンツと前記アウター用パンツとを２層化された一体構造としたことを特徴とする機能性シアーパンツ。
【発明の詳細な説明】
【技術分野】
【０００１】
本発明は、人体にあって胴部から両脚部が位置している部位にフィット感を伴って着用できるインナー用パンツと、該インナー用パンツに対しシアー感を伴って比較的ゆったりした状態で重ね着するように着用できるアウター用パンツとの２層からなる機能性シアーパンツの製造方法及び機能性シアーパンツに関する技術である。
【背景技術】
【０００２】
運動時における着用フィット性が良好で、パワーアップや疲労回復効果に優れたウエアとしては、従来よりスパッツと称されるタイツのようなパンツがある（例えば、特許文献１参照）。
【特許文献１】特開平１１−９３００３号公報（段落番号「０００６」〜「００１６」）  また、インナーウエアのなかには、その内面の編み組織を変えることにより凹凸部を形成し、該凹凸部により肌を刺激してマッサージ効果とともに、皮下脂肪や贅肉の減少を促すようにしたものもある（例えば、特許文献２参照）。
【特許文献２】特許第３２０９７３８号公報（段落番号「００１５」〜「００１８」，図１）
【発明の開示】
【発明が解決しようとする課題】
【０００３】
しかし、特許文献１に開示されているウエアは、あくまでも着用フィット性を問題にするものであって、ランニングなどの運動時や日常生活での着用感を好ましいものにしようとする視点を欠いている不都合があった。
【０００４】
また、特許文献２に開示されているウエアは、あくまでもインナーウエアに関するものであり、アウターウエアーとしては着用できない不都合があった。
【０００５】
本発明は、従来技術にみられた上記課題に鑑み、好ましいシアー感を得つつも、ランニング等の運動時にアウターウエアとして安心して着用することができる機能性シアーパンツの製造方法及び機能性シアーパンツを提供することに目的がある。
【課題を解決するための手段】
【０００６】
本発明は、上記目的を達成すべくなされたものであり、そのうちの第１の発明（製造方法）は、サポート機能及び／又は吸放湿機能が付与されてインナー用パンツとして用いられるインナー本体部と、該インナー本体部との間の摩擦係数を少なくしてシアー感を伴ったアウター用パンツとして用いられるアウター本体部とをゴム編み地部を介在させて円筒状に一体に連続編成してなる２本の丸編み地が用いられ、これらの丸編み地のうち、一方は人体の左右方向での左半身部位として、他方は右半身部位として用いるべく、それぞれの前記インナー本体部と前記アウター本体部とにあって人体の股部とこれに連続する胴部とに相当する部位に各一対の股部側開放縁と胴部側開放縁とを連続形成すべく切り開く工程と、前記丸編み地相互を一方の一対の股部側開放縁と胴部側開放縁とは他方の一対の股部側開放縁と胴部側開放縁とにそれぞれ対面するように向き合わせて、それぞれの対応部位相互を縫着して胴部と、股部により分岐された両脚部とを有するインナー用パンツとアウター用パンツとを形成する工程と、前記ゴム編み地部をウエストゴムとして残して前記インナー用パンツ側を前記アウター用パンツ側の対応部位内に納める工程とを経ることに特徴がある。
【０００７】
この場合、前記インナー本体部は、ウーリーナイロンを含む機能糸もしくはスパンデックスを用いたゾッキのフロート編み、プレーン編み、インレイ編み、メッシュ編みのうちのいずれかであり、前記アウター本体部は、ナイロン生糸又はその加工糸、プレーティングされたナイロン生糸のいずれかを用いたプレーン編みとするのが好ましい。また、前記インナー本体部は、針数及び／又は編み組織を変化させて着圧を段階的又は部分的に変化させて編成するものであってもよい。
【０００８】
一方、第２の発明（機能性シアーパンツ）は、上記した方法により前記インナー用ウエアと前記アウター用ウエアとを２層化された一体構造としたことにその特徴がある。
【発明の効果】
【０００９】
本発明によれば、サポート機能及び／又は吸放湿機能が付与されて人体側に密着するインナー本体部と、該インナー本体部との間の摩擦係数を少なくしてその外側にシアー感を伴って配置されるアウター本体部とをゴム編み地部を介在させて一体に連続編成した２本の丸編み地を用いて２層構造となったインナー用パンツとアウター用パンツとを一体化して形成することができる。このため、その製造工程もシンプル化することができるほか、インナー用パンツが奏するサポート機能及び／又は吸放湿機能により、例えば好ましい着用感のもとで優れた運動機能を得ることができる。また、アウター用パンツは、インナー用パンツとの間の摩擦を少なくしてゆったりとした着用感を得ることができるばかりでなく、シアー感を伴ったおしゃれ感覚を発揮させながら楽しく着用することもできる。
【発明を実施するための最良の形態】
【００１０】
図１と図２とは、本発明のうち、第１の発明に係る製造方法に用いられる丸編み地を例示したものであり、そのうちの（ａ）は、それぞれ正面図を、（ｂ）は、編み地自体の断面構造をそれぞれ模式的に示したものである。
【００１１】
これらの図によれば、丸編み地１１は、図７に示すようにサポート機能及び／又は吸放湿機能が付与されてインナー用パンツ４２として用いられるインナー本体部１２と、該インナー本体部１２との間の摩擦係数を少なくしてシアー感を伴ったアウター用パンツ４６として用いられるアウター本体部２２とをゴム編み地部３２を介在させて円筒状に一体に連続編成されている。なお、図１と図２とにおけるインナー本体部１２は、着用時の裏面（人体に直接接触する側の面）が表出された状態で、アウター本体部２２は、着用時の表面（人体に直接接触しない側の面）が表出された状態でそれぞれが示されている。
【００１２】
すなわち、丸編み地の一例を図１に即してより詳しく説明すれば、丸編み地１１は、ダブルニットインもしくはシングルのゴム編みで形成されているゴム編み地部３２側へと向かうにつれてそれぞれが次第に狭幅となるテーパーが付されたインナー本体部１２とアウター本体部２２とで構成されている。この際におけるインナー本体部１２とアウター本体部２２とは、図示例のようにインナー本体部１２の長さがアウター本体部２２の長さよりも短くなるようにして形成したり、同長となるように形成することができるほか、逆にインナー本体部１２の長さがアウター本体部２２の長さよりも長くなるようにして形成することもできる。また、これらインナー本体部１２とアウター本体部２２とは、それぞれの全長も足首に至るまでの適宜長さを付与して形成することができる。
【００１３】
しかも、インナー本体部１２は、ダブルニットインもしくはシングルのゴム編みで形成されている裾ゴム部１３を長さ方向での開放端部（図示例では上端部）側に有し、ウーリーナイロンを含む機能糸もしくはスパンデックスを用いたゾッキによる図３に示すフロート編みや、図４に示すメッシュ編みや、図５に示すプレーン編みや、図示しないインレイ編みのいずれかにより通気性やサポート感を出して編成することができる。なお、裾ゴム部１３は、対応部位が二枚重ねとなるように折り返して形成することもできる。
【００１４】
また、アウター本体部２２は、ダブルニットインもしくはシングルのゴム編みで形成されている裾ゴム部２３を長さ方向での開放端部（図示例では下端部）側に有し、シアー感を出して生地表面の摩擦係数を小さくすることができるナイロン生糸又はその加工糸、プレーティングされたナイロン生糸のいずれかを用いた例えば図５に示すプレーン編みのほか、裁断位置にメッシュ編みを入れるなどして編成されている。なお、裾ゴム部２３は、対応部位が二枚重ねとなるように折り返して形成することもできる。
【００１５】
一方、丸編み地の他例を図２に即してより詳しく説明すれば、丸編み地１１は、ダブルニットインもしくはシングルのゴム編みで形成されているゴム編み地部３２側へと向かうにつれて次第にそれぞれが狭幅となるテーパーが付されたインナー本体部１２とアウター本体部２２とで構成されている。この際におけるインナー本体部１２とアウター本体部２２との間の長さ関係は、図１の例について説明したパターンと同様にして設定することができる。
【００１６】
また、インナー本体部１２は、図１におけると同様にウーリーナイロンを含む機能糸もしくはスパンデックスを用いたゾッキによる図３に示すフロート編みや、図４に示すメッシュ編みや、図５に示すプレーン編みや、図示しないインレイ編みのいずれかにより通気性やサポート感を出して編成することができる。さらに、図２（ａ）に特定の特別領域１４として示されている部位を針数や編み組織を変化させて着圧を段階的又は部分的に変化させて編成してサポート機能と吸放湿機能とを付与し、その他の通常領域１５には吸放湿機能を付与して形成することもできる。
【００１７】
さらに、アウター本体部２２は、ダブルニットインもしくはシングルのゴム編みで形成されている裾ゴム部２３を長さ方向での開放端部（図示例では下端部）側に有し、図１におけると同様にシアー感を出して生地表面の摩擦係数を小さくして編成されている。なお、裾ゴム部２３は、対応部位が二枚重ねとなるように折り返して形成することもできる。
【００１８】
次に、上述したような構成からなる２本の同じ丸編み地１１を用いて行われる第１の発明に係る製造方法の一例を説明すれば、次の工程を経ることにより行われることになる。
【００１９】
すなわち、２本の丸編み地１１のうち、一方の丸編み地１１は、人体の左右方向での左半身部位として、他方の丸編み地１１は、右半身部位として用いるべく用意される。図６（ａ）には、人体の左右方向での右半身部位として用意された上下の左側縁にやや傾斜が付された丸編み地１１が示されている。
【００２０】
図６（ｂ）は、上記丸編み地１１にあって、インナー本体部１２とアウター本体部２２とのそれぞれにおける人体の股部とこれに連続する胴部とに相当する部位に各一対となった股部側開放縁１６，１６（図では一方のみが示されている。）又は２４，２４（図では一方のみが示されている。）と胴部側開放縁１７，１７（図では一方のみが示されている。）又は２５，２５（図では一方のみが示されている。）とを連続形成すべく切り開らいた状態を正面側から示した説明図である。
【００２１】
図６（ｂ）に示すように切り開かれた丸編み地１１は、図６（ｃ）に示されているように人体の左右方向での左半身部位についても用意され、インナー本体部１２側の左半身部位の股部側開放縁１６は右半身部位の股部側開放縁１６と、アウター本体部２２側の左半身部位の股部側開放縁２４は右半身部位の股部側開放縁２４と、インナー本体部１２側の左半身部位の胴部側開放縁１７は右半身部位の胴部側開放縁１７と、アウター本体部２２側の左半身部位の胴部側開放縁２５は右半身部位の胴部側開放縁２５とそれぞれが相互に向き合うように配置される。
【００２２】
しかる後、表側に位置する左右の股部側開放縁１６，１６相互又は２４，２４相互と、胴部側開放縁１７，１７相互又は２５，２５相互とが、図示は省略してあるが裏側に位置する左右の股部側開放縁１６，１６相互又は２４，２４相互と、胴部側開放縁１７，１７相互又は２５，２５相互とが図６（ｃ）に示すように縫い合わされる。これにより、胴部４３と、股部４４により分岐された両脚部４５とを有するインナー用パンツ４２と、胴部４７と、股部４８により分岐された両脚部４８とを有するアウター用パンツ４６とが形成される。
【００２３】
次いで、ゴム編み地部３２をウエストゴム３３として残してインナー用パンツ４２側をアウター用パンツ４６側の対応部位、つまり、インナー用パンツ４２側の一方の脚部４５パンツ４６側の一方の脚部４９内に、インナー用パンツ４２側の他方の脚部４５はアウター用パンツ４６側の他方の脚部４９内にそれぞれ納め入れることにより、図７に示すようにインナー用パンツ４２とアウター用パンツ４６とを２層化された一体構造とした機能性シアーパンツ４１が製造されることになる。
【００２４】
図８は、上記工程を経て製造される機能性シアーパンツ４１の各種パターン例の一部を示すものであり、そのうちの（ａ）はインナー用パンツ４２の脚部４５がやや外側に向かうように配置した例を、（ｂ）はインナー用パンツ４２の脚部４５が垂下するように配置した例を、（ｃ）はインナー用パンツ４２をショートパンツタイプに形成した例をそれぞれ示す。
【００２５】
次に、上記構成からなる機能性シアーパンツ４１の作用につき、本発明方法の効果とともに説明すれば、サポート機能及び／又は吸放湿機能が付与されて人体側に密着するインナー本体部１２と、該インナー本体部１２との間の摩擦係数を少なくしてその外側にシアー感を伴って配置されるアウター本体部２２とをゴム編み地部３２を介在させて一体に連続編成した２本の丸編み地１１を用いることで、２層構造となったインナー用パンツ４２とアウター用パンツ４６とを一体化して形成することができるので、製造工程もそれだけ簡素化することができる。
【００２６】
また、ゴム編み地部３２を共通のウエストゴム３３として用いて着用することにより、インナー用パンツ４２が奏するサポート機能及び／又は吸放湿機能により、好ましい着用感のもとで優れた運動機能を得ることができる。さらに、アウター用パンツ４６は、インナー用パンツ４２との間の摩擦を少なくしてゆったりとした着用感を得ることができるばかりでなく、シアー感を伴ったおしゃれ感覚を発揮させながら楽しく着用することもできる。
【００２７】
以上は、本発明を実施するための最良の形態を図示例に即して説明したものであり、その具体的な内容はこれに限定されるものではない。例えば、インナー用パンツ４２は、その脚部４４がアウター用パンツ４６の脚部４９から露出する長さを付与して形成することができる。また、インナー用パンツ４２に形成されている特別領域１５の形状パターンは、サポート感のみならず、所望するサポート機能と吸放湿機能とを得る観点から、図示例以外の適宜のパターンにより形成することができる。
【産業上の利用可能性】
【００２８】
本発明に係る機能性シアーパンツ４１は、屋外においてジョギング等の運動をする際やスポーツジムなどにおいて運動用パンツとして着用できるほか、インナー用パンツ４２とアウター用パンツ４６との相互の長さ関係を適宜選択したり、適宜の機能を付与することにより、日常生活において機能性に富むアウターウエアとして着用することもできる。
【図面の簡単な説明】
【００２９】
【図１】第１の発明に係る製造方法に用いられる丸編み地の一例を示すものであり、そのうちの（ａ）は正面図を、（ｂ）は編み地自体の模式的な断面図をそれぞれ示す。
【図２】第１の発明に係る製造方法に用いられる丸編み地の他例を示すものであり、そのうちの（ａ）は正面図を、（ｂ）は編み地自体の模式的な断面図をそれぞれ示す。
【図３】インナー本体部の編み組織例をフロート編みとして示す説明図。
【図４】インナー本体部の編み組織例をメッシュ編みとして示す説明図。
【図５】アウター本体部の編み組織例をプレーン編みとして示す説明図。
【図６】第１の発明に係る製造方法の工程を示す説明図であり、そのうちの（ａ）は本発明方法に用いられる丸編み地の一例を、（ｂ）は（ａ）の丸編み地の一部を切り開いた状態を、（ｃ）は２本の丸編み地の切り開いた部分を向かい合わせて相互に縫い合わせた後の状態をそれぞれ示す。
【図７】本発明に係る機能性シアーパンツの一例を一部を切り欠いて示す正面図。
【図８】本発明に係る機能性シアーパンツを（ａ）〜（ｃ）としてパターン別に例示した説明図。
【符号の説明】
【００３０】
１１  丸編み地
１２  インナー本体部
１３  裾ゴム部
１４  特別領域
１５  通常領域
１６  股部側開放縁
１７  胴部側開放縁
２２  アウター本体部
２３  裾ゴム部
２４  股部側開放縁
２５  胴部側開放縁
３２  ゴム編み地
３３  ウエストゴム
４１  機能性シアーパンツ
４２  インナー用パンツ
４３  胴部
４４  股部
４５  脚部
４６  アウター用パンツ
４７  胴部
４８  股部
４９  脚部
【図１】
2005089927.tif 000003
【図２】
2005089927.tif 000004
【図３】
2005089927.tif 000005
【図４】
2005089927.tif 000006
【図５】
2005089927.tif 000007
【図６】
2005089927.tif 000008
【図７】
2005089927.tif 000009
【図８】
2005089927.tif 000010